(57)【要約】      （修正有）【課題】配線カバーの使い勝手を向上させ、特に近時において要求されているレイアウトの多様化に有効に応え得るようにした配線カバー装置を提供する。【解決手段】天板の配線孔３１に着脱可能に配線カバー５ｂを取り付け得るようにしたものであって、配線カバー５ｂは配線孔３１に支持される第１の蓋５１と、この第１の蓋５１に回転可能に支持される第２の蓋５２とからなり、第１の蓋５１は一端側の縁辺近傍および他端側の縁辺近傍においてこれらの縁辺と直交する縁辺をそれぞれ軸３１ａと軸受の係合構造からなる軸受部を介して配線孔３１の開口に配置し、一端側または他端側の何れかの縁辺に近い軸受部の軸３１ａと軸受の係合を解除して、一端側に起立する方向にも他端側に起立する方向にも回転可能な両開き構造とし、さらに第２の蓋５２を第１の蓋５１の一端側に設けた切欠を開閉する位置に設けた。【選択図】図１０
2013103038.tif 000002
【特許請求の範囲】
【請求項１】
天板の配線開口に着脱可能に配線カバーを取り付け得るようにしたものであって、前記配線カバーは配線開口に支持される第１の蓋と、この第１の蓋に回転可能に支持される第２の蓋とからなり、第１の蓋は一端側の縁辺近傍および他端側の縁辺近傍においてこれらの縁辺と直交する縁辺をそれぞれ軸および軸受の係合構造からなる軸受部を介して配線開口に配置され、一端側または他端側の何れの縁辺に近い軸受部の軸と軸受の係合を解除するかによって、一端側に起立する方向にも他端側に起立する方向にも回転可能な両開き構造とされており、さらに前記第２の蓋は前記第１の蓋の一端側または他端側の少なくとも一方に設けた切欠を開閉する位置に設けられていることを特徴とする配線カバー装置。
【請求項２】
配線カバーは全ての軸受部の軸と軸受を係合若しくは係合解除することによって、配線開口に対して着脱自在とされている請求項１記載の配線カバー装置。
【請求項３】
軸受部は、配線カバーを平面視１８０°旋回させても装着可能とされている請求項２記載の配線カバー装置。
【請求項４】
第２の蓋は、第１の蓋の一端側および他端側の双方に設けた開口を開閉する位置に対をなして設けられている請求項１〜３の何れかに記載の配線カバー装置。
【請求項５】
第１の蓋の切欠を開閉する位置に第２の蓋が設けられており、一対の第１の蓋を共通の配線開口を閉止する位置に取り付ける際にそれらに付帯する第２の蓋を隣接させ、各第１の蓋に付帯する第２の蓋を開くことによって、第２の蓋が閉止していた各開口が連続開口を形成するようにしている請求項１〜４の何れかに記載の配線カバー装置。
【請求項６】
請求項１〜５の何れかに記載の配線カバー装置を用い、小テーブルおよびこの小テーブルの天板面の倍数に等しい天板面の標準テーブルにそれぞれ設けた配線開口を閉止するようにしたテーブルシステムであって、標準テーブルの配線開口を小テーブルの配線開口の倍数の大きさに設定し、小テーブルの配線開口を閉止する配線カバーを複数集合させて標準テーブルの配線開口を閉止し得るようにしたことを特徴とするテーブルシステム。
【請求項７】
小テーブルは縁辺側に開放される位置に切欠状の配線開口を有しており、この配線開口に配線カバーを装着し、さらに小テーブルの前記縁辺同士を突き合わせることによって標準テーブルの配線開口に対応する閉じた配線開口を形成して、標準テーブルの配線開口に複数の配線カバーを装着したと等価な大テーブルを構成し得るようにしている請求項５又は６記載のテーブルシステム。
【請求項８】
標準テーブルの天板が正方形状のものであり、小テーブルの天板が前記標準テーブルを半割りした天板形状に対応する長方形状のものである請求項５〜７の何れかに記載のテーブルシステム。
【発明の詳細な説明】
【技術分野】
【０００１】
本発明は、配線カバーの使い勝手を向上させ、特に近時において要求されているレイアウトの多様化に有効に応え得るようにした配線カバー装置及びテーブルシステムに関するものである。
【背景技術】
【０００２】
従来より、デスクの天板に配線孔を設けたものが多々市場に供されている。これらのもののうち、複数の形態で配線孔を開口させる態様を有するものとして、例えば特許文献１に示すものが挙げられる。
【０００３】
このものは、天板等の開口部に嵌合される配線保護枠と、この配線保護枠を覆うようこれに嵌合される配線孔カバーとから成る配線孔カバー装置であって、配線孔カバーは１対の分割片から成り、これらの分割片は、一方の分割片の裏面から他方の分割片に向かって延び、先端に他方の分割片を枢支する枢支点を有する支片からなる枢支手段により、これらの分割片が水平に並ぶ位置と、互いにほぼ直角となる位置との間を枢動自在に枢支されているものである。
【０００４】
具体的には、両分割片をほぼ直角とした時、垂直状態にされた一方の分割片の元の上面は、水平状態にある他方の分割片の内側端面とほぼ同一の垂直面上に位置するように構成されている。また、配線保護枠の相対向する内壁に、配線孔カバーが当接する受け杆を設け、かつこの受け杆の中央部に、垂直状態に枢動された一方の分割片を通過させるための通過部を設けてある。さらに、配線孔カバーの各コーナーに、裏面から垂下し、先端が配線保護枠の受け部に弾性的に係合する係合用突起を設けている。
【先行技術文献】
【特許文献】
【０００５】
【特許文献１】特許第２６８４０００号公報
【発明の概要】
【発明が解決しようとする課題】
【０００６】
しかしながら、このような構造は、装着位置で各々の分割片の下が受け杆により支持されて下方には回動できないため、分割片を落とし込むためには一旦配線孔カバーを取り外し、垂直状態に折り曲げた後に再び配線孔に装着しなければならない。このため、作業性の悪いものである。特に、配線カバーの真下にコンセント等の物品を配置したくとも分割片と干渉して待機させておくことに支障が出易く、配線孔の下に比較的浅い配線受けを設けることも難しい。さらに、配線孔を閉止する際にも再び配線孔カバーを取り外さなければならないため面倒である。さらにまた、対面して着座する場合等には双方から簡単に配線孔にアクセスすることが望まれるが、この点でも不便である。
【０００７】
本発明は、このような配線カバーの使い勝手を向上させ、特に近時において要求されているレイアウトの多様化に有効に応え得るようにした配線カバー装置及びテーブルシステムを提供することを目的としている。
【課題を解決するための手段】
【０００８】
本発明は、かかる目的を達成するために、次のような手段を講じたものである。
【０００９】
すなわち、本発明の配線カバー装置は、天板の配線開口に着脱可能に配線カバーを取り付け得るようにしたものであって、前記配線カバーは配線開口に支持される第１の蓋と、この第１の蓋に回転可能に支持される第２の蓋とからなり、第１の蓋は一端側の縁辺近傍および他端側の縁辺近傍においてこれらの縁辺と直交する縁辺をそれぞれ軸および軸受の係合構造からなる軸受部を介して配線開口に配置され、一端側または他端側の何れの縁辺に近い軸受部の軸と軸受の係合を解除するかによって、一端側に起立する方向にも他端側に起立する方向にも回転可能な両開き構造とされており、さらに前記第２の蓋は前記第１の蓋の一端側または他端側の少なくとも一方に設けた切欠を開閉する位置に設けられていることを特徴とする。
【００１０】
このように構成すれば、第１の蓋は第２の蓋を付帯させた状態で何れの方向にも回転して起立することができるので、逐一配線開口から配線カバー全体を取り外す必要がなく、作業性が良好になるとともに、この動作が真下にコンセント等の物品を配置することや、比較的浅い配線受けを設けることの妨げとなることもない。さらに、対面して着座する場合等には配線開口を何れの側にも簡単に開くことができる。そして、配線処理後には第２の蓋のみを開口させて通線状態にしておくことができるので、配線処理後に簡単に見栄えを整えることが可能となる。このようにして、レイアウトの多様化に対応し易い配線カバー装置を提供できるものとなる。
【００１１】
配線処理作業を容易にし、レイアウトの多様化にも対応するためには、配線カバーは全ての軸受部の軸と軸受を係合若しくは係合解除することによって、配線開口に対して着脱自在とされていることが望ましい。
【００１２】
特に、軸受部は、配線カバーを平面視１８０°旋回させても装着可能とされていることが好適である。
【００１３】
勿論、第２の蓋は、第１の蓋の一端側および他端側の双方に設けた開口を開閉する位置に対をなして設けられていても便利である。
【００１４】
配置に応じて新たな配線孔の形成を可能にし、これによりレイアウトの多様性を高めるためには、第１の蓋の切欠を開閉する位置に第２の蓋が設けられており、一対の第１の蓋を共通の配線開口を閉止する位置に取り付ける際にそれらに付帯する第２の蓋を隣接させ、各第１の蓋に付帯する第２の蓋を開くことによって、第２の蓋が閉止していた各開口が連続開口を形成するようにしていることが好ましい。
【００１５】
以上のような配線カバー装置を用い、小テーブルおよびこの小テーブルの天板面の倍数に等しい天板面の標準テーブルにそれぞれ設けた配線開口を閉止するするようにしてテーブルシステムを構成する際に、レイアウトのいかんによらずに配線処理機能を一定に保ち、使い勝手を向上させるためには、標準テーブルの配線開口を小テーブルの配線開口の倍数の大きさに設定し、小テーブルの配線開口を閉止する配線カバーを複数集合させて標準テーブルの配線開口を閉止し得るようにしておくことが望ましい。
【００１６】
標準テーブルと小テーブルを併用して多様なバリエーションを展開するためには、小テーブルは縁辺側に開放される位置に切欠状の配線開口を有しており、この配線開口に配線カバーを装着し、さらに小テーブルの前記縁辺同士を突き合わせることによって標準テーブルの配線開口に対応する閉じた配線開口を形成して、標準テーブルの配線開口に複数の配線カバーを装着したと等価な大テーブルを構成し得るようにしていることが望ましい。
【００１７】
簡単な構成でレイアウトの多様化に対応するためには、標準テーブルの天板が正方形状のものであり、小テーブルの天板が前記標準テーブルを半割りした天板形状に対応する長方形状のものであることが好適である。
【発明の効果】
【００１８】
本発明は、以上説明した構成であるから、配線開口に支持される第１の蓋と、この第１の蓋に回転可能に支持される第２の蓋とを好適に併用したことにより、配線カバーの使い勝手を向上させ、特に近時において要求されているレイアウトの多様化に有効に応え得るようにした配線カバー装置及びテーブルシステムを提供することができる。
【図面の簡単な説明】
【００１９】
【図１】本発明の一実施形態に係るテーブルシステムに使用される標準テーブルの斜視図。
【図２】同標準テーブルを、これを組み合わせたテーブルとともに示す斜視図。
【図３】図１の標準テーブルの構造を模式的に示す斜視図。
【図４】同標準テーブルを構成する脚ベースの斜視図。
【図５】同脚ベースに脚を取り付けた状態を示す斜視図。
【図６】同標準テーブルを構成する天板の裏面図。
【図７】同天板の裏面に脚ベースおよび架材を取り付けた状態を示す裏面図。
【図８】図３に示す構造に架材を取り付けた構造を模式的に示す斜視図。
【図９】図３に示す構造に一部の架材を取り付けた構造を模式的に示す斜視図。
【図１０】同標準テーブルに適用される目隠しカバーおよび配線カバーを示す説明図。
【図１１】同配線カバーの構造および作用を示す説明図。
【図１２】同テーブルシステムに用いられる主配線受けおよび拡張配線受けを示す斜視図。
【図１３】同主配線受けおよび拡張配線受けの取付の態様を配線ダクトの取付の態様とともに示す斜視図。
【図１４】同標準テーブルに予定される使用領域と拡張配線受けとの関係を示す模式的な平面図。
【図１５】同標準テーブル間を配線ダクトで接続した状態を示す模式的な底面図。
【図１６】同標準テーブルを脚体の一部を付け替えて連設した状態を示す模式的な底面図。
【図１７】図１６における架材間の連結構造を示す部分拡大図。
【図１８】同テーブルシステムのレイアウトパターン例を示す説明図。
【図１９】同テーブルシステムを構成する小テーブルの説明図。
【図２０】上記標準テーブルの脚ベースの活用の一態様を示す模式的な底面図。
【図２１】同標準テーブルにデスクトップパネルを取り付ける構造を示す部分断面図。
【図２２】本発明の変形例を示す部分斜視図。
【発明を実施するための形態】
【００２０】
以下、本発明の一実施形態を、図面を参照して説明する。
【００２１】
この実施形態のテーブルシステムは、図１に示す標準テーブル（単位テーブル）Ａを図１や図２（ａ）に示すように単体で用いるほか、所要個数、所要方向に連結もしくは仮連結することによって、図２（ｂ）に示すように対面着座可能な島型配置構造のテーブルＢにしたり、連結時にさらに連結方向の中央に位置する脚２を天板３の内奥に退避させて図２（ｃ）に示すようにワゴンＷＧ等を自由に配置できるように連結方向に沿って下肢空間を開放したいわゆるワゴンフリータイプの大型テーブルＣにするなどの機能を付与し、これにより様々な態様のレイアウトを実現するようにしたものである。
【００２２】
この標準テーブルＡは、図３に示すように脚ベース１に脚２を取り付け、その脚ベース１を天板３に取り付けて、天板３の四隅近傍の下面を脚ベース２を介して４本の脚２に支持させたものである。
【００２３】
脚ベース１は、図４及び図５に示すように、基端１ａに対して延出端１ｂを幅広としたもので、例えばアルミダイキャストで一体に作られている。この脚ベース１は、脚２が取り付けられる基端１ａからテーパに拡開する方向に延びる一対の第１立壁１１と、これらの第１立壁１１に続いて逆テーパ状に縮閉する方向に延びる一対の第２立壁１２とを具備し、第２立壁１２よりも第１立壁１１の方を長くし、さらに第２立壁１２の端部間に第３立壁１３を配置したもので、これらの立壁１１、１２、１３が全体として閉じた周壁１ｘを形成している。周壁１ｘは菱形を変形させた五角形状をなしている。そして、これらの立壁１ｘの下端を同形状の底壁１４で連結し、内側に上方に開放された扁平な空間を有する舟形構造としている。第１立壁１１、１１が集合する基端１ａ近傍は底壁１４が上方に盛り上がった状態の厚肉とされ、下面に脚取付部１５を形成している。この脚取付部１５は、断面長円状の取付孔２１を有する脚２を嵌合させるための当該取付孔２１に対応した形状の第１の脚嵌合部１５ａと、この第１の脚嵌合部１５ａと対になって前記脚２よりも大きい断面長円状の取付孔１２１を有する大型脚１０２を嵌合させるための断面真円状の第２の脚嵌合部１５ｂとを隣接位置に設けたもので、第２の脚嵌合部１５ｂと第１の脚嵌合部１５ａを包絡する線は前記大型脚１０２の取付孔１２１に対応している。この実施形態では、脚２の取付孔２１は長円形状をなしており、第１の脚嵌合部１５ａはこれに対応した断面長円形状、第２の脚嵌合部１５ｂは断面真円状とされている。そして、前記脚ベース１のうち少なくとも前記脚嵌合部１５ａを貫通する２箇所に、上下方向に開口する脚取付孔１５ｃが開口しており、対応する脚２，１０２の取付孔２１、１２１内にねじ孔２２，１２２を形成し、上方から脚ベース１の脚取付孔１５ｃに挿入した図示しないねじを脚２、１０２のねじ孔２２、１２２に緊締させることによって、脚２、１０２を脚ベース１に引き寄せた状態で連結するようにしている。このように、この脚ベース１は周壁１ｘの一部が一対の対向壁である第１立壁１１、第２立壁１２により構成されているが、対向壁間の距離の幅狭な部位である第１立壁１１の基端近傍と底壁１４とを接続する位置、および、対向壁間の距離が最も大きい部位である第１立壁１１と第２立壁１２との交叉部と底壁１４とを接続する位置を内側に膨出させて補強部１０を形成し、これらの補強部１０に天板取付孔１０ａを上下方向に貫通させて形成して、下方から挿通したねじｖ１によって、図３に示すようにこの脚ベース１の周壁１ｘの上面に天板３の下面を取り付け得るようにしている。
【００２４】
図４に示すように、脚ベース１の延出端側に位置する第２立壁１２の立面には、外面の一部を凹ませることによって、他の脚ベース１との間を連結する架材４を取り付けるための架材取付面１２ａが形成してある。この実施形態における一対の第２立壁１２、１２は互いに直交しており、架材取付面１２ａ、１２ａも直交していて、９０°異なる方向に延びる一対の架材４、４の端面４ａ、４ａをこれらの架材取付面１２ａ、１２ａに突き当てて係合させ、ねじｖ２で架材４を脚ベース１側に引き寄せて連結し得るようにしている。脚ベース１の厚み（高さ寸法）と架材４の厚み（高さ寸法）は略同一に設定してあり、架材４の上面も天板３を支持する高さに配置されるとともに、架材取付面１２ａ、１２ａにはねじ挿通孔１２ｂ、１２ｂを開口させ、架材４ａの内周にはねじ挿通孔４ｂを形成している。また、一対の第１立壁１１、１１の立面には透窓１１ｂ、１１ｂが開口しており、これらの透窓１１ｂとクロスする位置にある前記第２立壁１２の架材取付面１２ａのねじ挿通孔１２ｂとを結ぶ経路Ｌが、架材４を脚ベース１に引き寄せて連結するためのねじｖ２の挿抜経路とされている。透窓１１ｂが設けられた第１立壁１１の立面は、外面の一部を凹ませることによってオプション部材取付面１１ｄとされており、このオプション部材取付面１１ｄの一部にオプション部材を取り付けるためのねじ孔１１ｃが設けられている。
【００２５】
なお、脚ベース１の内部には、必要に応じて周壁１ｘの適宜部位間を連結するリブを設けておいてもよい。
【００２６】
脚２は棒状のもので、その下端が、図３等に示すように支軸ｍから偏位した位置に接地部２１ａを有し支軸ｍの回りに回転可能な首振り式のキャスタ２１によって移動自在に支持されている。このキャスタ２１の一部には操作部２１ｂが設けてあり、操作部２１ｂの操作により昇降してキャスタ２１の接地部２１ａと同一若しくはそれよりも下方に突出するアジャスタ（図示省略）が備わっている。すなわち、アジャスタの没入位置でキャスタ２１の滑動機能を妨げず、アジャスタの突出位置でキャスタ２１の滑動機能を停止させてその位置に脚２を安定接地させることができるものである。
【００２７】
天板３は矩形、より具体的には正方形状のもので、中央に配線を挿通するための孔として天板３の形状に近似した形状、具体的には天板３と相似な正方形状の配線開口たる配線孔３１を肉厚方向に貫通して開口させている。天板３の下面には、図６に示すように、四隅近傍と配線孔３１の近傍とに脚ベース取付部３Ａ、３Ｂがインサートナット３０を用いて形成され、４つの天板縁部３ｘの内側における当該天板縁部３ｘに沿った位置および中央よりに架材取付部３Ｃ、３Ｃ´がインサートナット３０を用いて形成されている。図１に示す天板３の略中央部の配線孔３１は、図１４に示すようにその周縁と各着座可能な天板縁部３ｘとの距離ｄがどこも略均等であるように設定されている。
【００２８】
そして、図６および図７に示すように脚ベース１を天板３の四隅下面の脚取付部３Ａに取り付けることによって、図３に示すように４本の脚２で天板３を自立可能とした標準（単位）テーブルＡを構成している。隣接する脚ベース１は、図７に示すように取付状態で互いの架材取付面１２ａ、１２ａが平行をなすように設定され、任意の脚ベース１、１間を架材４で連結し、当該架材４を天板縁部３ｘに沿って図６に示す架材取付部３Ｃに取り付けることができるようにしている。架材４は角パイプ状のものであり、端面４ａを架材取付面１２ａに突き当てた状態で、図４に示した挿抜経路Ｌを介してねじｖ２により当該架材４を引き寄せた状態で脚ベース１に連結される。四隅の脚ベース１、１間を架材４によって接続すれば、図８に示すように一対の脚２、２と一対の脚ベース１、１とその間の架材４とからなる門型の脚体２ｘが４つの天板縁部３ｘにそれぞれ形成された状態となる。勿論、図９に示すように一部の天板縁部３ｘのみに架材４を設け他の天板縁部３ｘの下面を開放する態様も可能であり、この場合には架材４のない位置に引き出し等を取り付けることも可能である。
【００２９】
そして、前記配線孔３１に、図１０（ａ）に示す目隠しカバー５ａと、開口を一部開閉すべく図１０（ｂ）に示す一対の配線カバー５ｂとを選択的に取り付け得るようにしている。配線孔３１には、図１及び図１０（ｄ）に示すように対向縁部の内周の所要箇所に軸３１ａが対をなして対向させた状態で複数組み突出させてある。一方、配線カバー５ｂは、図１１に示すように第１の蓋５１と第２の蓋５２からなるもので、第１の蓋５１の一端側の縁辺に外側に開く切欠５１ａが設けてあり、第２の蓋５２はこの切欠５１ａに対応する形状をなしていて、第２の蓋５２が第１の蓋５１に対して開閉可能となるように軸５０ａおよび軸受５０ｂからなる支持部５０を介して相互に接続されている。第１の蓋５１にはさらに、一端側の縁辺近傍および他端側の縁辺近傍においてこれらと直交する縁辺に下向きに開口する一対の軸受５１ｂが背向して設けてあり、これらの軸受５１ｂを図１及び図１０（ｄ）に示した配線孔３１の内周の対応位置から突出する前記軸３１ａに図１１（ｂ）に示すように係合させて軸受部を構成するようにしている。そして、一端側または他端側の何れかの縁辺に近い軸受部の軸３１ａと軸受５１ｂとの係合を解除することによって、図１０（ｄ）に実線または想像線で示すように一端側に起立する方向にも他端側に起立する方向にも配線カバー５ｂを両開き可能としている。配線孔３１内には後述する主配線受け６（図１３（ａ）参照）に支持されて卓上コンセントＣが配置してあり、卓上コンセントＣの差込口ｃ１〜ｃ３は図１０（ｃ）に示すように第１の蓋５１を閉止し第２の蓋５２を開口させることによっても上方に表出させ得るようにしている。差込口ｃ１〜ｃ３は、例えば電源プラグ、第１の情報プラグ、第２の情報プラグに対応している。軸受部を構成する軸受５１ｂと軸３１ａとの関係は、配線カバー５ｂを平面視１８０°旋回させても装着可能とされており、図１０（ｅ）に示すように両配線カバー５ｂ、５ｂの第２の蓋５２、５２が隣接するように第１の蓋５１、５１を配置することもできる。図１０（ａ）に示す目隠しカバー５ａには、４辺に後述するクランプｐ２（図２１参照）の基部ｐ２０等を通過させるためのスリット５３が開口させてある。配線カバー５ｂについては、図３（ｅ）に想像線で示すように第１の蓋５１の他端側にも切欠５１ａによる開口を設けて、一端側および他端側の切欠５１ａを開閉する位置に対をなして第２の蓋５２を設けることもできるものである。
【００３０】
また、図６に示した天板３下面における配線孔３１の四隅近傍には、配線受け取付部３Ｄがインサートナットにより形成されて、この配線受け取付部３Ｄに図１２（ａ）及び図１３（ａ）に示す主配線受け６を取り付け得るようにしている。この主配線受け６は、板金を折曲げ加工することによって、底壁６１の４辺に各１対の起立片６２、６３を設け、そのうちの１対の起立片６２はさらに上方に延びて先端に取付片６４を外向きに折り曲げて形成したもので、その取付片６４に設けたねじ挿通孔６４ａを利用してこの主配線受け６を天板３の下面における配線孔近傍に設けた前記配線受け取付部３Ｄに取り付けるようにしている。本実施形態の主配線受け６は平面視矩形状（略正方形状）のもので、配線空間Ｓ１は立ち上げ寸法の小さい一対の起立片６３側に開放されている。一対の起立片６３の両側には隣接する起立片６２との間に隙間６５が形成されている。底壁６１の四隅近傍において、底壁６１と起立片６２との境界部には少なくとも底壁６１に平行に貫通して配線空間Ｓ１の内外に至るスリット６６が形成されている。
【００３１】
また、この主配線受け６には、必要に応じて図１２（ｂ）及び図１３（ａ）に示す拡張配線受け７を増設できるようにしている。拡張配線受け７は、板金を折曲げ加工することによって、底壁７１の４辺に各１対の起立片７２、７３を設け、そのうちの１対の起立片７２にはさらにその両端部から上方に垂片７６を延出させて先端に取付片７４を内向きに折り曲げて形成してあり、一対の垂片７６、７６をその間が開く方向に一時的に弾性変形させてそれらの取付片７４を前記主配線受け６のスリット６６に挿し込んで弾性係合させ、その位置で取付片７４に設けたねじ挿通孔７４ａと底壁６１に設けたねじ挿通孔６１ａとを利用してねじ止めすることで垂片７６を介して拡張配線受け７を主配線受け６に懸吊支持させるようにしている。本実施形態の拡張配線受け７は平面視において主配線受け６の形状に略対応する矩形状のもので、配線空間Ｓ２は全ての起立片７２、７３側に開口している。一対の起立片７３の両側には隣接する起立片７２との間に隙間７５が形成されている。
【００３２】
さらに、テーブルＡの配線孔３１に対して、主配線受け６の底壁６１および拡張配線受け７の底壁７１における前記配線孔３１の対応位置にも肉厚を貫通する配線孔６０ａ、６０ｂ、７０ａが開口している。具体的には、主配線受け６の複数（２つ）の配線孔６０ａの真下にはこれよりも大きい１つの拡張配線受け７の配線孔７０ａが位置し、主配線受け６の配線孔６０ｂの真下には拡張配線受け７の底壁７１の面板部が位置している。拡張配線受け７の配線孔７０ａの開口には保護枠が装着されており、主配線受け６のサイドの孔６０ｃは図１０（ｃ）に示した卓上コンセントＣの取付孔等として利用されている。この場合の主配線受け６の底壁６１は、差込口ｃ１〜ｃ３を天板３の上面に略合致する位置に臨ませてコンセントＣを配置するための当該コンセントＣの位置決めを兼ねた取付部材として利用されている
【００３３】
このように、本実施形態のテーブルＡは、天板３の中央部下面に主配線受け６が付帯するものであり、さらにその主配線受け６に拡張配線受け７を取り付け可能としたものであるが、この実施形態のテーブルＡは図１４に示すように天板下における各天板縁部３ｘからそれぞれ内奥の所定位置までの間に標準的な着座者の下肢空間にあてる使用領域３α（同図（ａ））や、ワゴン等の収納部材の収納空間にあてる使用領域３β（同図（ｂ））が設定してあり、これら複数の使用領域３α、３βと平面視において重ならない位置（囲まれる位置）に収まるように前記拡張配線受け７の平面視寸法が設定され、その位置に図１３（ａ）に示すように拡張配線受け７が主配線受け６から垂下した状態で取り付けられるようにしている。主配線受け６は天板下面に付帯していて扁平なものであるが、この主配線受け６もこれらの使用領域３α、３βと平面視において重ならない位置（囲まれる位置）に収まる位置に設けてある。
【００３４】
さらに、これらの配線受け６、７には、必要に応じて図１３に示す配線ダクト８を接続可能としている。配線ダクト８は、底壁８１の両側に起立片８２、８２を設けた上向きに開口するチャネル状のもので、起立片８２の端部は底壁８１よりも長手方向に突出して取付片８３を形成している。そして、この取付片６３を前記配線受け６，７の隙間６５、７５を介して起立片６２、７２に重合する位置に挿入し、その位置で起立片６２、７２に設けたねじ挿通孔６２ａ、７２ａと取付片８３に設けたねじ挿通孔８ａとを利用して主配線受け６と配線ダクト８、あるいは拡張配線受け７と配線ダクト８を接続可能としている。勿論、起立片６２、７２側にも隣接する起立片６３、７３との間に上記隙間６５と同様の隙間を設ける態様の主配線受け６および補助配線受け７もこのテーブルシステムは備えており（図示省略）、図示例と直交する方向に配線ダクト８を接続することも可能なものである。
【００３５】
次に、このように構成される本実施形態の標準テーブルの連設機能について説明する。
【００３６】
この標準テーブルＡは、前述したようにキャスタ２１によって移動自在とされており、構造も４本脚構造の軽量なものであるため、床上の移動を極めて平易に行うことができる。そして、天板縁部３ｘ、３ｘ同士を突き合わせ、その位置で主配線受け６、６間、あるいは拡張配線受け７、７間を図１３（ａ）、（ｂ）に示すように天板縁部３ｘの一対の脚２、２間を通過するように配線ダクト８により接続することによって、図２（ｂ）に示すように天板３、３同士の位置関係を配線受け６（７）を介して配線ダクト８で保つように仮連結することができ、連続配線機能も担保して、天板３を略面一に拡張した状態で島型配置のテーブルＢとして使用することが可能となる。また、前述したようにキャスタ２１にはアジャスタ機能が付帯しており、レバー操作によりアジャスタが接地してテーブルＡが固定されるため、配線ダクト８による接続構造とあいまって、島型配置のテーブルＢとして安定使用できる状態が得られる。このテーブルシステムは、必要に応じて図１５に示すように天板３、３同士を補助連結具ｇ１で連結する機能も備えている。図示例では各天板縁部３ｘにおけるコーナー付近に樹脂等による受け具ｇ２を取り付け可能としており、これらの受け具ｇ２の間を樹脂ファスナー等の補助連結具ｇ１で連結することで天板縁部３ｘ、３ｘ間の連続性を簡単に担保できるようにしている。受け具ｇ２は図６に示した脚ベース取付部３Ａや架材取付部３Ｃを利用して取り付けることが可能である。さらには、この標準テーブルＡは軽量であるため、配線受け６、６間（７、７）間を配線ダクト８で接続せずに補助連結具ｇ１と受け具ｇ２のみによる簡易連結とすることもできる。このような連結構造を利用して図２（ｂ）、（ｃ）は２連に連設した状態を示しているが、同様の構造によって３連以上に増連することも可能である。
【００３７】
一方、より的確な連結を行う際には、天板縁部３ｘ、３ｘ同士を突き合わせる際に、各天板３の突き合わせ縁部となる天板縁部３ｘ側を支持していた図８に示す一対の脚２、２と一対の脚ベース１、１とその間の架材４とからなる門型の脚体２ｘを、図６に示す脚ベース取付部３Ｂ、架材取付部３Ｃ´を利用して図１６に示すように当該天板縁部３ｘと交叉（直交）する方向に沿って隣接する天板３、３間に亘る位置に並列に付け替えて大型天板３０を構成し、付け替えを行った脚体２ｘと付け替えを行っていない脚体２ｘとによってこの大型天板３０を支持することも可能としている。この実施形態では、付け替えた脚体２ｘは突き合わせ側の天板縁部３ｘを支持していた位置から天板中央側（奥行き方向および連結方向に対して中央側）へ偏位した位置、すなわち配線孔３１付近に付け替えられ、それに伴い脚２が図２（ｃ）に示すように大型天板３の天板縁部３０ｘの内奥に退避される。これにより、天板３の連結方向に沿って下肢空間が連続され、長手方向に沿ってどの位置にもワゴンＷＧ等を収納可能ないわゆるワゴンフリーな状態が実現される。
【００３８】
この場合、付け替えられた脚ベース１に接続されていた架材４、４間の端面４ａが開放され、端面４ａ、４ａ間に隙間が生じるが、この実施形態ではその間を連結部材４０によって連結するようにしている。連結部材４０は図１７に示すように両端に立片４０ａを有するコ字形のもので、例えば金属板の塑性変形加工等によって作られており、隣接する架材４の端面４ａに立片４０ａを対向させ、立片４０ａに挿入したねじを架材４のねじ孔４ｂに締結することによって、架材４、４間を引き寄せて連結することができるようにしている。連結部材４０は前記脚ベース取付部３Ａを利用して天板３の下面に固定される。本実施形態ではさらに、図１６に示すように脚ベース１が取り外された架材２と付け替えた脚ベース１の架材取付面１２ａとが平行になるように設定し、その間をさらに連結部材１４０で接続することも可能にしている。図示例は３連を示しているが、同様の連結構造によって２連または４連以上に増連することもできる。
【００３９】
また、前記脚ベース１は直交する架材取付面１２ａを有しているため、図１８（ａ）に示すように天板３間をＬ字に配置しても隣接する天板３の架材取付面１２ａが平行に対面することになり、この間を架材８によって接続することでＬ字連結を実現することも可能である。さらに、この性質を利用すれば、同図（ｂ）に示すようなＴ字連結テーブル、同図（ｃ）に示すような十字連結テーブルにも容易に展開することができる。
【００４０】
この場合、主配線受け６や補助配線受け７の４方に図１３に示した隙間６５、７５を設けたものを使用すれば、レイアウトに応じて配線受け６、６間（７、７間）を配線ダクト８で縦横に連結することも可能である。その際の配線ダクト８は、付け替えた脚体２ｘ、２ｘの内側を通過する位置関係に設定されているため、干渉は有効に回避され、また、配線ダクト８は、図１４に示す配線受け６、７との位置関係から対向位置にある天板縁部３ｘ、３ｘから内奥に向かう２箇所に設定される使用領域３α、３α間（３β、３β間）に収まるため、それらの使用領域３α、３βとの干渉も有効に回避しながら、縦横に連結および連続配線機能を実現できるものとなる。
【００４１】
さらに、このデスクシステムには、前記標準テーブルＡの天板を整数分割した大きさの図１９に示す小テーブルＤを併用可能としている。この小テーブルＤは、天板１０３に天板縁部１０３ｘ側に開口する切欠状の配線開口１３１を有しており、図１に示した標準テーブルＡの天板３を配線孔３１を通って天板縁部３ｘに平行な線で２分割した形に対応している。この配線開口１３１にも図１に示した軸部３１ａと同様の軸部１３１ａが設けてあり、図１０（ｂ）〜（ｄ）に示した配線カバー５ｂを１つ、両開き可能に装着できるようにしている。したがって、配線カバー５ｂが兼用可能となるほか、この小テーブルＤ、Ｄ同士を図１９（ｂ）に示すように配線開口１３１が隣接するように突き合せれば、図１に示した標準テーブルＡと天板面積の等しい標準テーブルＡ´を構成することもできる。この場合、配線受けも上記標準テーブルＡの配線受け７、８の半割り構造にすることで突き合わせた際に上記配線受け７、８と同等の配線受けが構成されるようにしておくことが有効であり、脚体間の連結も上記標準テーブルＡにおける脚体２ｘの付け替えによる天板３、３間の連結、配線ダクト８による配線受け７，７間（８、８間）間の連結に準じた構造を採用することが有効である。補助連結具ｇ１等についても同様である。
【００４２】
このようにして、小テーブルＤを連設することにより別異の大型テーブルＡ´を構成することもでき、標準テーブルＡの一部に小テーブルＤを付加したレイアウトにも容易に展開することができる。
【００４３】
なお、図２（ａ）〜（ｃ）に示すサイドパネルＳＰは、図４及び図２０に示すように脚ベース１のオプション部材取付面１１ｄに、当該オプション部材取付面１１ｄが設けられた立面の透窓１１ｂを塞ぐ形でブラケットｐ１を用いて取付けてあり、また、図１に示すように天板縁部３ｘの下方にコンセントボックスＳＣを配置するときも、適宜のブラケットを上記と同様にオプション部材取付面１１ｄに取り付けることでその取り付けを実現することができる。このように、各脚ベース１にはそれぞれ複数（２つ）のオプション部材取付面１１ｄが設けてあり、これを利用してこれ以外にも下肢空間を閉止する幕板等の種々のオプション部材を取り付けることができる。
【００４４】
また、図２（ｂ）に示すデスクトップパネルＤＴＰは、図２１に示すクランプｐ２を用いて天板３の開口孔３１の開口縁に取り付け可能とされている。このクランプｐ２は、図１に示す配線孔３１においてコ字形の基部ｐ２０を天板３を厚み方向に挟むように係合させ、この基部ｐ２０に螺合させてある軸部ｐ２１を回転させることによって、軸部ｐ２１の下端と基部２０の下片との間で天板３を挟んだ状態で取り付けることが可能とされており、軸部ｐ２１の軸心部に設けた孔ｐ２２に支持杆を挿入してデスクトップパネルＤＴＰを起立させている。基部ｐ２０は図１０（ａ）に示したスリット５３を通して立ち上げられる。
【００４５】
このように構成される本実施形態のデスクシステムは、従来のデスクシステムにはないレイアウトの自由度を実現するものである。
【００４６】
すなわち、従来のテーブルシステムは、随所に家具を分散配置してフリーアドレスにできるようなテーブルシステムを用いるか、一人用のデスクを適宜連設して島型対向配置構造を実現するようにしたテーブルシステムを用いるか、大型天板の下肢空間を妨げない位置を脚で支持させたテーブルシステムを用いるか、何れかのコンセプトに基づいて構造を特化し、この構造によってレイアウトを構築しているのが通例であった。しかし、使用する組織の属性や人数、組織変更等によって、必要とするレイアウトはさまざまに変化するため、ユーザーのニーズに必ずしもフィットするものではなかった。
【００４７】
具体的には、ユーザーがフリーテーブルレイアウトに求めるニーズは、大きく２つに大別するとすれば、１つには、チームビルディングを高め、他部門との境界をなくし、一日の使い方の変化（デスクワーク、ミーティング）に対応でき、活気があり、創造性をかきたてるなどといった定性的な効果を重視した類型があり、もう１つには、スペース効率を向上でき、人数の増減や組織変更に掛かる時間を短縮でき、コミュニケーションの頻度を増やすといった定量的な効率重視の類型があると考えることができる。
【００４８】
しかしながら、例えば、従来のフリーアドレスデスクだと前者の利点はあるが、部内コミュニケーションがうまくとれず、個人席が狭いために居心地が悪く、在籍率が高いと席数が足らないといった欠点があり、従来の島型対向構造では後者の利点はあるが、連設方向が一方向に限られているため、プロジェクトチームなどフロアの各所で縦横に連携する必要がある組織に適しておらず、固定的であるため将来を見据えてどのようなオフィスレイアウトが最適となるかが見えにくいという課題がある。さらに、従来の大型テーブル構造では、部門内の人数の増減には対応できるが、やはり配列方向が限定されているため、上述したプロジェクトチームなどには適しておらず、天板面積の拡張性に乏しく、デスクスペースでは打合せやミーティングができないといった課題がある。
【００４９】
このように、従来のデスクは連結を想定していないものであったり、連結方向が極めて限定的であったりして、予めフリーアドレスタイプ、島型タイプ、大型テーブルタイプとった機能に応じた構造に作られ、属性が強いものであったため、どうしてもそれのみを用いると、定性的な効果重視のレイアウトか、定量的な効率重視のレイアウトか、何れかの特徴に偏ってしまうという傾向が拭えないものであった。
【００５０】
これに対して、本実施形態は、標準テーブルＡを縦横に連設し、配線ダクトＤを利用してテーブルＡ、Ａ間を仮連結し、必要であれば脚体２ｘの位置を付け替えることによって天板３、３間の強連結やワゴンフリーを実現し、さらに小テーブルＤを適宜レイアウトし、標準テーブルＡと組み合わせた使用も可能にしたものである。
【００５１】
そして、４本脚の標準テーブルＡを基本構成単位とし、この標準テーブルＡを複数配置したところから、最寄の４本脚テーブルを必要に応じて離合集散させられることになるため、レイアウトに際し、パーソナルワークに対応する正方形（矩形）の標準テーブルＡを基準にし、これをマトリクス状に配置したところから、必要に応じて適宜縦横に連結拡張することで、何れの方向にも必要な箇所に島型テーブルＢや大型テーブルＣに展開することができ、その逆もできるようにしたものである。したがって、オフィス空間のレイアウトに際し、組織に応じて定性的なゾーンと定量的なゾーンの比率を適宜設定、変更することができ、流動的なレイアウトを実現することが可能となるものである。
【００５２】
以上のように、本実施形態の配線カバー装置は、配線孔３１に着脱可能に配線カバー５ｂを取り付け得るようにしたものであって、配線カバー５ｂは配線孔３１に支持される第１の蓋５１と、この第１の蓋５１に回転可能に支持される第２の蓋５２とからなり、第１の蓋５１は一端側の縁辺近傍および他端側の縁辺近傍においてこれらの縁辺と直交する縁辺をそれぞれ軸３１ａおよび軸受５１ｂの係合構造からなる軸受部を介して配線孔３１の開口縁に配置され、一端側または他端側の何れの縁辺に近い軸受部の軸３１ａと軸受５１ｂの係合を解除するかによって、一端側に起立する方向にも他端側に起立する方向にも回転可能な両開き構造とされており、さらに前記第２の蓋５２が第１の蓋５１の一端側に設けた切欠５１ａを開閉する位置に設けられているものである。
【００５３】
このような構成により、第１の蓋５１は第２の蓋５２を付帯させた状態で何れの方向にも回転して起立することができるので、逐一配線孔３１から配線カバー５ｂ全体を取り外す必要がなく、作業性が良好になるとともに、この動作が真下にコンセントＣ等の物品を配置することや、本実施形態のごとき比較的浅い主配線受け６を設けることの妨げとなることも回避することができる。さらに、対面して着座する場合等には配線孔３１を何れの側にも簡単に開くことができる。そして、配線処理後には第２の蓋５２のみを開口させて通線状態にしておくことができるので、配線処理後に簡単に見栄えを整えることが可能となる。このようにして、レイアウトの多様化に対応し易い配線カバー装置を提供できるものとなる。
【００５４】
特に、配線カバー５ｂは全ての軸受部の軸３１ａと軸受５１ｂを係合若しくは係合解除することによって、配線孔３１に対して着脱自在とされているので、配線孔３１を必要に応じて大きく開口させることもできるので、レイアウトの多様化に対応し易いものとなる。
【００５５】
そして、この実施形態の軸受部は、配線カバー５ｂを平面視１８０°旋回させても装着可能としているので、第１の蓋５１の一端側にのみ開口を設け、それを開閉する位置に第２の蓋５２を設けている場合等に、適切な向きに配線カバー５ｂを付け替えることが簡単となるので、レイアウトの多様化に対応し易いものとなる。
【００５６】
また、第２の蓋５２を、第１の蓋５１の一端側および他端側の双方に設けた開口を開閉する位置に対をなして設けることも容易に可能となるものであり、これにより対向する着座位置から配線カバーを対等に利用できる状態を実現することができ、レイアウトの多様化に対応し易いものとなる。
【００５７】
また、第１の蓋５１の切欠５１ａを開閉する位置に第２の蓋５２が設けられて、一対の第１の蓋５１、５１を共通の配線孔３１を閉止する位置に取り付ける際にそれらに付帯する第２の蓋５２、５２を隣接させ、各第１の蓋５１に付帯する第２の蓋５２を開くことによって、第２の蓋５２が閉止していた各開口が連続開口を形成するようにしたので、中央に新たな配線孔を形成することができ、配線カバー５ｂの機能を無理なく高めることができ、レイアウトの多様化に対応し易いものとなる。
【００５８】
そして、この実施形態のテーブルシステムは、上記配線カバー装置を用い、小テーブルＤおよびこの小テーブルＤの天板面の倍増に等しい天板面の標準テーブルＡにそれぞれ設けた配線孔３１、１３１を閉止するようにしたテーブルシステムであり、標準テーブルＡの配線孔３１を小テーブルＤの配線開口１３１の倍数の大きさに設定し、小テーブルＤの配線開口１３１を閉止する配線カバー５ｂを複数集合させて標準テーブルＡの配線孔３１を閉止し得るようにしているので、標準テーブルＡと小テーブルＤとで配線カバー５ｂを共通化し、標準テーブルＡと小テーブルＤとを組み合わせて種々のレイアウトをしても配線処理機能を一定に保つことができて、使い勝手を高めることができ、レイアウトの多様化に対応し易いものとなる。
【００５９】
さらに、本実施形態の小テーブルＤは縁辺側に開放される位置に切欠状の配線開口１３１を有しており、この配線開口１３１に配線カバー５ｂを装着し、さらに小テーブルＤの縁辺同士を突き合わせることによって標準テーブルＡの配線孔３１に対応する閉じた配線孔３１´を形成して、標準テーブルＡの配線孔３１に複数の配線カバー５ｂを装着したと等価な大テーブルＡ´を構成し得るようにしているので、標準テーブルＡと小テーブルＤを併用して多様なバリエーションを展開することができるとともに、小テーブルＤを標準テーブルＡと等価な形態にすることによって標準テーブルＡのみのレイアウトに準じたレイアウトも有効に実現することができるので、レイアウトの多様化に対応し易いものとなる。
【００６０】
さらにまた、本実施形態は標準テーブルＡの天板３が正方形状のものであり、小テーブルＤの天板１０３が前記標準テーブルＡを半割りした天板形状に対応する長方形状のものであるので、簡単な構成でレイアウトの多様化に対応し易いテーブルシステムを有効に実現することができる。
【００６１】
以上、本発明の一実施形態について説明したが、各部の具体的な構成は、上述した実施形態のみに限定されるものではなく、本発明の趣旨を逸脱しない範囲で種々変形が可能である。
【００６２】
例えば、脚ベースの外部から架材を取り付け可能とするために、図２２に示すように、脚ベース１の周壁１ｘのうち、架材取付面１２ａが設けられた立面１２もしくはその近傍に架材取付方向（Ｘ方向）に対して傾斜したねじ孔１２ｘを設ける一方、架材４の対向位置に開口４ｘおよびスリット４ｙを設けて厚板からなるねじ座４ｚを開口４ｘの開口縁とスリット４ｙに係合させた状態で内部に収容し、斜め方向からねじ座４ｚに挿入したねじｖ３を前記脚ベース１のねじ孔１２ｘに螺合させて締め付けることによって、架材４を脚ベース１に引き寄せて締結ようにしてもよい。このようにすれば、脚ベース１が閉じた構造であっても、また脚ベース１に複数の架材４を取り付けた状態であっても、任意の架材４を適切に着脱することが可能となる。
【符号の説明】
【００６３】
３…天板
５ｂ…配線カバー
３１…配線開口（配線孔）
３１´…配線孔
３１ａ…軸
５１…第１の蓋
５１ａ…切欠
５１ｂ…軸受
５２…第２の蓋
１０３…天板
１３１…配線開口
Ａ…標準テーブル
Ａ´…大テーブル
Ｄ…小テーブル
【図１】
2013103038.tif 000003
【図２】
2013103038.tif 000004
【図３】
2013103038.tif 000005
【図４】
2013103038.tif 000006
【図５】
2013103038.tif 000007
【図６】
2013103038.tif 000008
【図７】
2013103038.tif 000009
【図８】
2013103038.tif 000010
【図９】
2013103038.tif 000011
【図１０】
2013103038.tif 000012
【図１１】
2013103038.tif 000013
【図１２】
2013103038.tif 000014
【図１３】
2013103038.tif 000015
【図１４】
2013103038.tif 000016
【図１５】
2013103038.tif 000017
【図１６】
2013103038.tif 000018
【図１７】
2013103038.tif 000019
【図１８】
2013103038.tif 000020
【図１９】
2013103038.tif 000021
【図２０】
2013103038.tif 000022
【図２１】
2013103038.tif 000023
【図２２】
2013103038.tif 000024